(57)【要約】【課題】作業者の下肢との干渉を回避でき使い勝手を良くした作業用テーブルを提供すること。【解決手段】天板３の下方に棚部５と収納部９とを設けた作業用テーブル１であって、天板３の下方に棚部５が配設されるとともに、棚部５の更に下方に、上部開口するとともに側部及び底部が閉じられた収納部９が取り外し可能に棚部５から吊設されており、収納部９の下面と床面との間に空間１０を形成した。【選択図】図１
2012100770.tif 000002
【特許請求の範囲】
【請求項１】
天板の下方に棚部と収納部とを設けた作業用テーブルであって、
前記天板の下方に棚部が配設されるとともに、該棚部の更に下方に、上部開口するとともに側部及び底部が閉じられた収納部が取り外し可能に該棚部から吊設されており、該収納部の下面と床面との間に空間を形成したことを特徴とする作業用テーブル。
【請求項２】
前記棚部の下方に、前記収納部を吊設する支持部材が延設されており、該支持部材に吊設した前記収納部の下面よりも上方に支持部材の下端を配置していることを特徴とする請求項１に記載の作業用テーブル。
【請求項３】
前記収納部は、前記天板を挟んで互いに対向する一対の使用方向の両方向にも取り外し可能であって、前記支持部材は、該支持部材に吊設された前記収納部の前記両方向への移動も規制する移動規制部を有していることを特徴とする請求項２に記載の作業用テーブル。
【請求項４】
前記収納部は、該収納部の外側方に膨出し前記支持部材に係合するフランジ部を有しており、前記移動規制部は、前記フランジ部を係止することで前記収納部の移動を規制することを特徴とすることを特徴とする請求項３に記載の作業用テーブル。
【請求項５】
前記収納部は、前記棚部上面に載置可能な物品の最大高さ寸法よりも長寸の高さ寸法を有していることを特徴とする請求項１ないし４のいずれかに記載の作業用テーブル。
【発明の詳細な説明】
【技術分野】
【０００１】
本発明は、天板の下方に棚部と収納部とを設けた作業用テーブルに関する。
【背景技術】
【０００２】
従来の作業用テーブルには、天板の下方に棚部と収納部とが各々脚部に支持され、上下に複数並設されているものがある（例えば、特許文献１参照）。
【先行技術文献】
【特許文献】
【０００３】
【特許文献１】実開昭６２−１９０５２８号公報（第１頁、第１図）
【発明の概要】
【発明が解決しようとする課題】
【０００４】
しかしながら、特許文献１にあっては、棚部及び収納部が天板側から下方の床面近傍まで並設されているため、作業者が天板上面を使用して作業するときに下肢が棚部及び収納部に当接してしまい作業用テーブルの使い勝手が良くないという問題がある。
【０００５】
本発明は、このような問題点に着目してなされたもので、作業者の下肢との干渉を回避でき使い勝手を良くした作業用テーブルを提供することを目的とする。
【課題を解決するための手段】
【０００６】
前記課題を解決するために、本発明の作業用テーブルは、
天板の下方に棚部と収納部とを設けた作業用テーブルであって、
前記天板の下方に棚部が配設されるとともに、該棚部の更に下方に、上部開口するとともに側部及び底部が閉じられた収納部が取り外し可能に該棚部から吊設されており、該収納部の下面と床面との間に空間を形成したことを特徴としている。
この特徴によれば、使用頻度の高い物品を天板に近傍の棚部に載置することで物品の出し入れを容易にできるとともに、使用頻度の低い若しくは落下防止を要する物品を収納部に収納して上部開口を棚部により被覆でき、且つ物品を収納部ごと纏めて取り出せる。また、収納部の下面と床面との間に空間を形成したことで、作業者の下肢との干渉を回避できるため、作業用テーブル周りの作業可能範囲を広く採ることができる。
【０００７】
本発明の作業用テーブルは、
前記棚部の下方に、前記収納部を吊設する支持部材が延設されており、該支持部材に吊設した前記収納部の下面よりも上方に支持部材の下端を配置していることを特徴としている。
この特徴によれば、収納部を取り外すと、支持部材下端から床面までの下肢空間を収納部取り付け時よりも更に大きく採ることができ、作業の快適度が向上する。
【０００８】
本発明の作業用テーブルは、
前記収納部は、前記天板を挟んで互いに対向する一対の使用方向の両方向にも取り外し可能であって、前記支持部材は、該支持部材に吊設された前記収納部の前記両方向への移動も規制する移動規制部を有していることを特徴としている。
この特徴によれば、作業用テーブルの使用者は、天板を挟んで互いに対向する一対の使用方向の両方向にも収納部を出し入れでき、快適に作業できるばかりか、天板を挟んで互いに対向する一対の使用方向の両方向にも取り外し可能とした収納部が、移動規制部により移動を規制されるため、収納部が意図せず移動してしまい落下する虞を回避できる。
【０００９】
本発明の作業用テーブルは、
前記収納部は、該収納部の外側方に膨出し前記支持部材に係合するフランジ部を有しており、前記移動規制部は、前記フランジ部を係止することで前記収納部の移動を規制することを特徴としている。
この特徴によれば、収納部の外側方に膨出したフランジ部を支持部材に係合するだけで、収納部を容易に支持部材に吊設できる。
【００１０】
本発明の作業用テーブルは、
前記収納部は、前記棚部上面に載置可能な物品の最大高さ寸法よりも長寸の高さ寸法を有していることを特徴としている。
この特徴によれば、収納部を棚部上面に載置することが出来なくなるため、収納部を棚部上面に載置できたとした場合に生じうる、当該収納部が載置してあった棚部上面に別の物品を置こうとして収納部が棚部から落下したり、若しくは既に別の物品が載置してあった棚部上面に当該収納部を置こうとして当該別の物品が落下してしまう危険性を無くすことができる。
【図面の簡単な説明】
【００１１】
【図１】実施例における作業用テーブルを示す正面図である。
【図２】コンテナを棚板に吊設する状態を示す側面図である。
【図３】コンテナを棚板に吊設した状態を示す斜視図である。
【図４】コンテナを示す正面図である。
【発明を実施するための形態】
【００１２】
本発明に係る作業用テーブルを実施するための形態を実施例に基づいて以下に説明する。
【実施例】
【００１３】
実施例に係る作業用テーブルにつき、図１から図４を参照して説明する。以下、図１の紙面手前側、図２の紙面左方側を作業用テーブルの正面（前方）側として説明する。先ず図１の符号１は、本発明の適用された作業用テーブルである。この作業用テーブル１は、例えば、学校の理科室等で生徒等の使用者が化学実験を行うために使用されるテーブルである。
【００１４】
この作業用テーブル１の左端部には、実験器具を洗浄するための給水蛇口、及び実験で使用した薬品等を廃棄するための図示しない排水口を備えたシンク２ａを備えた筐体２が設けられている。この筐体２の左部における上部には、上面が化学実験の作業を行うための作業面となっている天板３の左端部が載置されている。また、天板３は、作業用テーブル１の右端部にて床面から立設する脚柱４によって天板３の右端部を支持されている。つまり、本実施例の筐体２は、脚柱４とともに天板３を支持する脚部を構成している。
【００１５】
図１、図２及び図３に示すように、天板３の下方には本発明における棚部を構成する棚板５が配置されている。この棚板５の左端部は、筐体２と天板３とに亘って取り付けられた接続部材６によって筐体２の右端部に接続されており、棚板５の前後右方向は開放されている。また、棚板５の右端部は、天板３の下面から下方に向けて延設された吊設部材７によって吊設されており、使用者は、例えばノートや教科書等の比較的使用頻度の高い物品を棚板５の上面に載置可能となっている。
【００１６】
更に、棚板５の下面には、支持部材８が棚板５の左右幅方向に複数（本実施例では２つ）並んで設けられており、これら支持部材８を介して本発明における収納部としてのコンテナ９が棚板５に取り外し可能に吊設されている。この棚板５に吊設されたコンテナ９と床面との間は、使用者が着座する際に天板３の下方に足を入れることが可能な空間１０に形成されている。このため、本実施例では、脚部を構成する筐体２と脚柱４との間にコンテナ９を前後方向にスライドさせることが可能な支持板を備えずともよくなっている。
【００１７】
具体的には、図１及び図２に示すように、支持部材８は、棚板５の下面から下方に延びる左右一対の垂下部８ａ，８ａを有している。更にこれら垂下部８ａ，８ａの下部に連続して、両垂下部８ａ間の左右幅寸法が下方に向けて漸次幅狭となるように、両垂下部８ａ間の略中央部を向いて屈曲された移動規制部８ｂ，８ｂに形成されている。天板３の下面には、このように構成された左右一対の垂下部８ａ，８ａと同一構成の左右一対の垂下部８ａ，８ａが、前記左右一対の垂下部８ａ，８ａと前後一対となるように取り付けられており、前後一対となった両垂下部８ａ，８ａにおける移動規制部８ｂ，８ｂの下端部間は、吊設棒部８ｃを介して連続して形成されている。更に、前記左右一対の垂下部８ａ，８ａの上端部間は、棚板５の下面に固定された固定棒部８ｄを介して連続して形成されている。すなわち、支持部材８は、前後及び左右一対に形成された垂下部８ａ及び移動規制部８ｂそれぞれが吊設棒部８ｃ及び固定棒部８ｄを介して連続して形成された枠状部材として構成されている。
【００１８】
図３及び図４に示すように、コンテナ９は、上部開口するとともに前後左右の側部及び底部が閉じられた箱状に形成されており、例えば化学実験で使用する実験器具等や比較的使用頻度の低い物品を収納可能となっている。また、コンテナ９の上部は、コンテナ９の外側方に向けて膨出するフランジ部９ａに形成されている。このフランジ部９ａの左右幅寸法は、左右一対の垂下部８ａ，８ａの上部間の左右幅寸法よりも短寸であって、且つ左右一対の垂下部８ａ，８ａにおける移動規制部８ｂ，８ｂの下端部間の左右幅寸法よりも長寸に形成されている。尚、収納部の側部及び底部は、当該収納部内に収納した物品が収納部から落下することを防止可能に閉じられていれば、必ずしも本実施例のように閉塞面に形成されるものに限られず、例えば収納部の側部及び底部は、細目の格子状若しくはバスケット状に形成されていてもよい。
【００１９】
尚、図１に示すように、コンテナ９の上下幅寸法Ｌ３は、棚板５の上面と天板３の下面との上下幅寸法Ｌ１よりも長寸に形成されている。このため、棚板５の上面に載置可能な物品の上下幅寸法Ｌ１よりも長寸の上下幅寸法Ｌ３を有するコンテナ９は、棚板５上に載置することが不可能となっている。更に尚、コンテナ９の上下幅寸法Ｌ３は、支持部材８の垂下部８ａの下端部から棚板５の下面までの上下幅寸法Ｌ２よりも長寸となっており、すなわち支持部材８に吊設したコンテナ９の下面よりも上方に支持部材８の下端を配置している。
【００２０】
このように構成されたコンテナ９は、図２に示すように、使用者が左右一対の垂下部８ａの上部間をフランジ部９ａが通過するようにコンテナ９を作業用テーブル１の背面側に向けて移動させた後、使用者がフランジ部９ａを両吊設棒部８ｃ上に載置することで棚板５に吊設されるようになっている。
【００２１】
尚、本実施例の支持部材８は、左右一対の垂下部８ａ，８ａを更に前後一対に備えているため、使用者は、作業用テーブル１の背面側から左右一対の垂下部８ａ，８ａの上部間をフランジ部９ａが通過するようにコンテナ９を作業用テーブル１の正面側に向けて移動させた後、フランジ部９ａを両吊設棒部８ｃ，８ｃ上に載置することでコンテナ９を棚板５に吊設することが可能となっている。
【００２２】
このとき、コンテナ９の上部開口は棚板５の下面に近接配置されるため、棚板５をコンテナ９の上部開口を被覆するための蓋として利用することで、コンテナ９内への異物の進入を防止することができる。また、コンテナ９の上部開口と棚板５の下面とが近接することで、作業者が棚板５に吊設されたコンテナ９内に無闇に指等を入れてコンテナ９内の物品に接触することを防止することができる。
【００２３】
更に、図２及び図３に示すように、コンテナ９が支持部材８を介して棚板５に吊設されている状態では、使用者等がコンテナ９を前後方向に移動させようとしても、コンテナ９は、フランジ部９ａの前後端部の左右側が前後の移動規制部８ｂに当接することでの前後方向への移動が規制されている。このため、コンテナ９が意図せず前後方向に移動することで棚板５の下方から落下してしまうことが防止されている。
【００２４】
尚、棚板５に吊設されたコンテナ９は、使用者がコンテナ９を上方に持ち上げてフランジ部９ａを両吊設棒部８ｃから離間させた後、左右一対の垂下部８ａ，８ａの上部間をフランジ部９ａが通過するように作業用テーブル１の正面側または背面側、すなわち天板３を挟んで互いに対向する一対の使用方向の両方向にも任意にコンテナ９を移動させることで棚板５の下方から取り外しが可能となっている。
【００２５】
以上、本実施例の作業用テーブル１にあっては、天板３の下方に棚板５が配設されるとともに、棚板５の更に下方に、上部開口するとともに側部及び底部が閉じられたコンテナ９が取り外し可能に棚板５から吊設したので、使用頻度の高い物品を天板３に近傍の棚板５に載置することで物品の出し入れを容易にできるとともに、使用頻度の低い若しくは落下防止を要する物品をコンテナ９に収納して上部開口を棚板５により被覆でき、且つ物品をコンテナ９ごと纏めて取り出せる。また、コンテナ９の下面と床面との間に空間１０を形成したことで、作業者の下肢との干渉を回避できるため、作業用テーブル１周りの作業可能範囲を広く採ることができる。
【００２６】
また、棚板５の下方に、コンテナ９を吊設する支持部材８が延設されており、支持部材８に吊設したコンテナ９の下面よりも上方に支持部材８の下端を配置しているので、コンテナ９を取り外すと、棚板５の下方にコンテナ９よりも短寸の支持部材８が残されることになるため、支持部材８下端から床面までの下肢空間をコンテナ９取り付け時よりも更に大きく採ることができ、作業の快適度が向上する。
【００２７】
また、コンテナ９は、天板３を挟んで互いに対向する一対の使用方向の両方向にも取り外し可能であって、支持部材８は、支持部材８に吊設されたコンテナ９の両方向への移動も規制する移動規制部８ｂを有しているので、作業用テーブル１の使用者は、天板３を挟んで互いに対向する一対の使用方向の両方向にもコンテナ９を出し入れでき、快適に作業できるばかりか、天板３を挟んで互いに対向する一対の使用方向の両方向にも取り外し可能としたコンテナ９が、移動規制部８ｂにより移動を規制されるため、コンテナ９が意図せず移動してしまい落下する虞を回避できる。
【００２８】
また、コンテナ９は、コンテナ９の外側方に膨出し支持部材８に係合するフランジ部９ａを有しており、移動規制部８ｂは、フランジ部９ａを係止することでコンテナ９の移動を規制するので、コンテナ９の外側方に膨出したフランジ部９ａを支持部材８に係合するだけで、コンテナ９を容易に支持部材８に吊設できる。
【００２９】
また、コンテナ９は、棚板５上面に載置可能な物品の最大高さ寸法よりも長寸の高さ寸法を有しているので、コンテナ９を棚板５上面に載置することが出来なくなるため、コンテナを棚部上面に載置できたとした場合に生じうる、当該コンテナが載置してあった棚部上面に別の物品を置こうとしてコンテナが棚部から落下したり、若しくは既に別の物品が載置してあった棚部上面に当該コンテナを置こうとして当該別の物品が落下してしまう危険性を無くすことができる。
【００３０】
以上、本発明の実施例を図面により説明してきたが、具体的な構成はこれら実施例に限られるものではなく、本発明の要旨を逸脱しない範囲における変更や追加があっても本発明に含まれる。
【００３１】
例えば、前記実施例では、支持部材８の垂下部８ａの下端部から棚板５の下面までの上下幅寸法Ｌ２をコンテナ９の上下幅寸法Ｌ３よりも短寸とすることで、コンテナ９が棚板５の下方で吊設された際に棚板５とコンテナ９の上部開口を近接させ、棚板５をコンテナ９の蓋として利用したが、支持部材８の垂下部８ａの下端部から棚板５の下面までの上下幅寸法Ｌ２を更に短寸に形成することで、コンテナ９が棚板５の下方で吊設された際にコンテナ９の上端部と棚板５の下面とを当接させ、棚板５によってコンテナ９の上部開口を完全に被覆するようにしてもよい。
【符号の説明】
【００３２】
１                作業用テーブル
２                筐体
２ａ              シンク
３                天板
４                脚柱
５                棚板（棚部）
６                接続部材
７                吊設部材
８                支持部材
８ａ              垂下部
８ｂ              移動規制部
８ｃ              吊設棒部
８ｄ              固定棒部
９                コンテナ（収納部）
９ａ              フランジ部
１０              空間
【図１】
2012100770.tif 000003
【図２】
2012100770.tif 000004
【図３】
2012100770.tif 000005
【図４】
2012100770.tif 000006